(57)【要約】【課題】ネットワークに接続されている複数の映像表示機器に対して調整値を設定する場合、ネットワークに接続されている機種が異なる場合は調整値を設定することができないという問題があった。【解決手段】本発明は、ネットワークに接続されている複数の映像表示機器が異なる機種の場合にも調整値の設定ができるように、機種に関わらず共通で使用できる調整値を共通データとし、機種に依存して使用できる調整値を機種別データとして、マスターモードの映像表示機器の機能情報及びスレーブモードの映像表示機器の機能情報に基づいて、マスターモードの映像表示機器からスレーブモードの映像表示機器に送信する調整値を機種毎に適した調整値となるように設定する。【選択図】図１
2011227323.tif 000002
【特許請求の範囲】
【請求項１】
他の映像表示機器とネットワークで接続された映像表示機器であって、
マスターモードまたはスレーブモードのいずれかの動作モードを設定する動作モード設定部と、
設定された前記動作モードがマスターモードの場合に、前記他の映像表示機器に対して機器探索要求を送信するとともに、前記他の映像表示機器から機能情報を機器探索応答として受信する機器検索処理部と、
機能情報と、機種に係らず共通で使用できる調整値である共通データと前記機種に依存して使用できる調整値である機種別データから構成される調整値を記憶する記憶部と、
受信された前記機能情報及び記憶された前記機能情報に基づいて、前記他の映像表示機器へ送信すべき調整値データを設定する機種差分吸収部と、
を具備することを特徴とする映像表示機器。
【請求項２】
前記機能情報は、少なくとも、機種名、バージョン、動作モードであることを特徴とする請求項１に記載の映像表示機器。
【請求項３】
他の映像表示機器とネットワークで接続された映像表示機器における調整値設定方法であって、
機能情報と、機種に係らず共通で使用できる調整値である共通データと前記機種に依存して使用できる調整値である機種別データから構成される調整値を記憶するステップと、
マスターモードまたはスレーブモードのいずれかの動作モードを設定するステップと、
設定された前記動作モードがマスターモードの場合に、前記他の映像表示機器に対して機器探索要求を送信するとともに、前記他の映像表示機器から機能情報を機器探索応答として受信するステップと、
受信された前記機能情報及び記憶された前記機能情報に基づいて、前記他の映像表示機器へ送信すべき調整値データを設定するステップと、
を有することを特徴とする調整値設定方法。
【発明の詳細な説明】
【技術分野】
【０００１】
本発明は映像表示機器及び調整値設定方法に関し、特に映像表示機器の表示方法に関連した調整値を設定することが可能な映像表示機器及び調整値設定方法に関する。
【背景技術】
【０００２】
従来、ネットワークに接続されている複数の映像表示機器において、色の濃さやシャープネスなどの表示方法に関する調整値を設定する場合、接続されている映像表示機器が同一の機種である場合に限り、マスターとなる映像表示機器からスレーブとなる複数の映像表示機器に対して調整値を送信することにより、スレーブとなる複数の映像表示機器が送信された調整値を受信して設定することによって、調整値の設定を行っていた（例えば、特許文献１参照）。
【先行技術文献】
【特許文献】
【０００３】
【特許文献１】特開２０００−３４７８２６号公報
【発明の概要】
【発明が解決しようとする課題】
【０００４】
しかしながら、上記従来の技術では、ネットワークに接続されている複数の映像表示機器が同一の機種である必要があり、異なる機種が接続されている場合には調整値を設定できないという課題を有していた。
【０００５】
本発明は、上記事情に鑑みてなされたもので、ネットワークに接続されている複数の映像表示機器が異なる機種の場合において、複数の映像表示機器間で容易に調整値を設定することが可能な映像表示機器及び調整値設定方法を提供することを目的とする。
【課題を解決するための手段】
【０００６】
本発明は、ネットワークに接続されている複数の映像表示機器が異なる機種の場合にも調整値の設定ができるように、機種に関わらず共通で使用できる調整値を共通データとし、機種に依存して使用できる調整値を機種別データとして、マスターモードの映像表示機器の機能情報及びスレーブモードの映像表示機器の機能情報に基づいて、マスターモードの映像表示機器からスレーブモードの映像表示機器に送信する調整値を機種毎に適した調整値となるように設定する。
【発明の効果】
【０００７】
本発明によれば、ネットワークに接続されている複数の映像表示機器が異なる機種の場合においても、機種間の機能の差分を吸収する仕組みを提供することにより調整値を設定することが可能となる。
【図面の簡単な説明】
【０００８】
【図１】本発明の実施の形態１に係る映像表示機器の構成を示すブロック図
【図２】本発明の実施の形態１に係る映像表示機器の調整値設定処理を示すフローチャート
【図３】本発明の実施の形態１に係る複数の映像表示機器がネットワークで接続されたシステムの例を示す図
【発明を実施するための形態】
【０００９】
以下、本発明を実施するための最良の形態について、図面を参照しながら説明する。
【００１０】
（実施の形態１）
図１は、本発明の実施の形態１に係る映像表示機器の構成を示すブロック図である。映像表示機器は、動作モード設定部１と、機器検索処理部２と、機種差分吸収部３と、メモリ（記憶部）４と、マイコン５と、信号生成／解析部６と、信号送受信部７とを備える。
【００１１】
動作モード設定部１は、映像表示機器の動作モードとして、マスターモードまたはスレーブモードのいずれかの動作モードを設定する。設定された動作モードは、メモリ４に記憶される。
【００１２】
機器検索処理部２は、ネットワーク上に接続されている映像表示機器を検索する。動作オードがマスターモードに設定された映像表示機器において、機器探索処理部２は、機器探索要求をネットワーク信号としてネットワーク上に接続されている他の映像表示機器へ送信させる。また、ネットワーク上に接続されている他の映像表示機器から受信した機器探索要求に対応する機器探索応答に応じて、マスターモードの映像表示機器に接続されたスレーブモードの映像表示機器を特定する。
【００１３】
機種差分吸収部３は、メモリ４に格納されている映像表示機器の機種ごとの機能情報及スレーブモードの映像表示機器から受信した機能情報に基づいて、マスターモードの映像表示機器とスレーブモードの映像表示機器が同一機種であるか異なる機種であるかを判断する。そして、判断結果に応じて、マスターモードの映像表示機器からスレーブモードの映像表示機器に対して送信する調整値の項目を設定する。
【００１４】
メモリ４は、映像表示機器の調整値、動作モードなどの情報を記憶する。なお、ここでは、機種に関わらず共通で使用できる調整値を共通データとし、機種に依存して使用できる調整値を機種別データとして定義している。ここで、例えば、共通データは色の濃さやシャープネスなどの調整値であり、機種別データはノイズリダクションなどの調整値である。マイコン５は、全ての処理部に対して動作命令を指示する。
【００１５】
信号生成／解析部６は、信号送受信部７がネットワーク信号として受信したデータを解析するとともに、解析結果をマイコン５に出力する。また、マイコン５から入力された機器探索要求等のデータをネットワーク信号として送信するデータに変換し（生成し）、信号送受信部７へ出力する。
【００１６】
信号送受信部７は、信号生成／解析部６から入力されたデータをネットワーク信号として、他の映像表示機器へ送信する。また、他の映像表示機器から受信したデータを信号生成／解析部６へ出力する。
【００１７】
次に、本発明の実施の形態１に係る映像表示機器の調整値設定方法について説明する。図２は、本発明の実施の形態１に係る映像表示機器の調整値設定処理を示すフローチャートである。
【００１８】
ユーザ入力部（図示せず）を介して調整値設定処理開始要求が入力された場合、動作モード設定部１は、対象となる映像表示機器がマスターモードとして動作するかスレーブモードとして動作するかの動作モードを、ネットワーク信号やユーザ入力部（図示せず）からの入力情報に基づいて設定し、設定された動作モードを、マイコン５を制御してメモリ４に記憶させる（ステップＳ２１：動作モード設定処理）。そして、設定した動作モードを判別して、それぞれの処理に分岐する（ステップＳ２２：モード判別処理）。
【００１９】
ステップＳ２２において、動作モードにマスターモードが設定された場合、機器検索処理部２は、ネットワーク上に接続されている他の映像表示機器の情報（機種名、バージョン、動作モードなど）を取得するために、マイコン５、信号生成／解析部６、信号送受信部７を介して機器探索要求を他の映像表示機器へ送信させる。機器検索要求を受信した他の映像表示機器は映像表示機器の機能情報（機種名、バージョン、動作モードなど）を機器探索応答として、マスターモードの映像表示機器に返信する。マスターモードの映像表示機器の機器探索処理部２は、機器探索応答として受信した映像表示機器の機能情報から、色の濃さやシャープネスなどの表示方法に関する調整値を設定する対象となるスレーブモードの映像表示機器を特定する（ステップＳ２３：機器検索処理）。
【００２０】
そして、機種差分吸収部３は、メモリ４に予め記憶された機能情報及びスレーブモードの映像表示機器の機能情報に基づいて、スレーブモードの映像表示機器が同一機種であるか異なる機種であるかを判断する。調整値設定の対象となるスレーブモードの映像表示機器が同一の機種の場合は共通データ及び機種別データの両方を調整値の項目として設定する。異なる機種の場合は共通データのみを調整値の項目として設定する。ここで、機種別データについては、データの種類に応じて設定対象とするか設定対象外とするかを判断し、機種が異なっても互換性のある機種データについては調整値の設定対象とし、互換性のない機種データについては調整値の設定対象外とする。互換性の有無を識別するために、予め各々の映像表示機器に複数の機種情報の管理テーブルを持ち照合することにより互換性有無を判断することができる（ステップＳ２４：機種差分吸収処理）。
【００２１】
上記処理後、マイコン５は、機種差分吸収部３で設定した調整値の項目に対応するデーデータをメモリ４から取得する（ステップＳ２５：調整値読取処理）。そして、取得したデータ値を調整値データとして信号生成／解析部６、信号送受信部７を介してスレーブモードの映像表示機器へ送信させる（ステップＳ２６：データ送信処理）。
【００２２】
一方、ステップＳ２２において、動作モードにスレーブモードが設定された場合、スレーブモードの映像表示機器の信号送受信部７は、マスターモードの映像表示機器から送信された調整値データをネットワーク信号として受信する。受信されたネットワーク信号は信号生成／解析部６で解析され、解析の結果、マイコン５は、調整値データを取得する（ステップＳ２７：データ受信処理）。マイコン５は、取得した調整値データを、調整値の種類によりメモリ４の共通データ領域または機種別データ領域に書込む（ステップＳ２８：調整値書込読取処理）。
【００２３】
以上により、マスターモードの映像表示機器とスレーブモードの映像表示機器が異なる機種である場合においても、マスターモードの映像表示機器から送信された調整値をスレーブモードの映像表示機器に設定することが可能となる。
【００２４】
図３は、本発明の実施の形態１にかかる複数の映像表示機器がネットワークで接続されたシステムの例を示す図であり、映像表示機器３台（３１、３２、３３）がハブ３４を介して接続されている。映像表示機器３１は機種Ａであってマスターモードに設定されており、映像表示機器３２は機種Ａであってスレーブモードに設定されており、映像表示機器３３は機種Ｂであるスレーブモードに設定されている。
【００２５】
本発明の実施の形態１によれば、マスターモードの映像表示機器３１は、同一機種のスレーブモードの映像表示機器機種３２と異なる機種のスレーブモードの映像表示機器３３の両方のスレーブモードの映像表示機器に対して、機種差分吸収部３で機種ごとの機能情報を用いて調整値の機種ごとの差分を吸収することが可能となり、異なる機種に対しても調整値を設定することができる。
【産業上の利用可能性】
【００２６】
本発明にかかる映像表示機器は、ネットワークに接続されている複数の映像表示機器が異なる機種の場合にも、機種間の機能の差分を吸収することにより調整値を設定することが可能になるので、ネットワークで接続されたＡＶ機器において有用である。
【符号の説明】
【００２７】
１    動作モード設定部
２    機器検索処理部
３    機種差分吸収部
４    メモリ
５    マイコン
６    信号生成／解析部
７    信号送受信部
【図１】
2011227323.tif 000003
【図２】
2011227323.tif 000004
【図３】
2011227323.tif 000005